(57)【要約】【課題】照射された光が水中を立ち昇る気泡に照射されて揺らいだ状態に輝くのを眺めることができると共に、照射された光が気泡を透過し、この透過光が壁面や天井面に揺らいで映し出されるのを眺めることができ、精神的なリラクゼーション効果の高い演出照明付き気泡浴槽を提供する。【解決手段】浴槽底面に環状の気泡噴出ノズルが上方を向けて装着され、このノズルの中央部には、透明容器入りの発光ダイオード（ＬＥＤ）が上方に向けて発光するよう組み込まれていることを特徴とする演出照明付き気泡浴槽。【選択図】  図１
2005080913.tif 000002
【特許請求の範囲】
【請求項１】
浴槽底面に環状の気泡噴出ノズルが上方を向けて装着され、このノズルの中央部には、透明容器入りの発光ダイオードが上方に向けて発光するよう組み込まれていることを特徴とする演出照明付き気泡浴槽。
【請求項２】
前記発光ダイオードがノズル１個当たり３０カンデラ以上の輝度である請求項１記載の演出照明付き気泡浴槽。
【請求項３】
前記気泡噴出ノズルの噴出口に孔径が１５〜１００μｍである多孔質板が装着されている請求項１または請求項２記載の演出照明付き気泡浴槽。
【請求項４】
通常の入浴姿勢において、気泡が鉛直上方に向けて浮上する位置の浴槽底面に、複数個の発光ダイオードが組み込まれた環状の気泡噴出ノズルが装着されている請求項１〜３のいずれか記載の演出照明付き気泡浴槽。
【請求項５】
請求項１〜４のいずれか１項に記載の演出照明付き気泡浴槽の制御方法であって、発光ダイオードが組み込まれた環状の気泡噴出ノズルの電源を入れてから１〜数秒間は気泡噴出量が大に設定されると共に、浴室照明の白熱灯の照度が徐々に減光された後、発光ダイオードに通電発光されるように制御されることを特徴とする演出照明付き気泡浴槽の制御方法。
【請求項６】
発光ダイオードの通電発光後、気泡噴出ノズルの気泡噴出量を減少させ、小気泡が揺らいで上昇する状態に制御される請求項５記載の演出照明付き気泡浴槽の制御方法。
【発明の詳細な説明】
【技術分野】
【０００１】
本発明は、高輝度の発光ダイオード（一般にＬＥＤと略称されているので、本明細書では、発光ダイオードをＬＥＤと略称して使用する。）と気泡浴槽を組み合わせて、照明による演出性の高い浴室空間を得ることができる演出照明付き気泡浴槽およびその制御方法に関する。
【背景技術】
【０００２】
近年、高輝度のＬＥＤが市販され、蛍光灯や白熱灯に比べて、小型であり、低温、低電圧で使用でき、小エネルギーで半永久的に使用できる利点を有するため、固体表示素子や画像表示用として様々な分野で使用されている。
また、浴槽においては、入浴姿勢状態で直視しにくい浴槽の水没箇所にＬＥＤによる発光部を設けることにより、ＬＥＤの光が直接目に入ることなく、良好に浴槽内の水中を演出照明できる浴槽演出照明装置が提案されている（例えば、特許文献１参照。）。
この特許文献１には、
(1) 発光部を浴槽の内壁面に設けると、対向する壁面に効率よく照射されて、通常の入浴姿勢では入浴者の視界内にＬＥＤの点光源が見えず、眩しさを感じることなくＬＥＤによって照射された壁や泡のみを視認できて、快適な入浴状態を得ることができる。
(2) 底面や肘掛け用の段部などに上向きに設けると、水面に効率良く光を照射させて演出効果を高めることができ、さらに浴槽内の水面の揺らぎが天井面に映し出されることで、より快適な演出効果が得られる。
(3) 発光部を浴槽の背もたれ側壁面の通常入浴姿勢状態で身体に遮られにくい箇所に設けたことにより、特に背もたれ側に気泡噴流がある場合に、回り込む水流が効果的に照明されて、良好に演出効果を高めることができる。
等々のＬＥＤによる照明の入浴者への演出効果が提案されている。
【０００３】
また、高級感があり、肉体的疲労回復と精神的リラクゼーション効果とを同時に得ることができる照明付き噴流ノズル型浴槽として、頭部に複数個の流体（例えば、エア）噴射兼照明光照射用ノズルを有し、内部が中空状に形成されたキャップと、先端開口部が前記キャップの中空状内部に接続され、後端開口部が駆動制御される流体供給源（例えば、ブロアー）に接続された流体供給部材（例えば、送風管）と、先端部端面が前記キャップの中空状内部に指向され、後端部端面が駆動制御される照明用光源に指向された光導部材（例えば、複数本の光ファイバーを結束して成っているもの）と、前記流体供給部材（送風管）及び前記光導部材（光ファイバー群）を浴槽容器の底壁に固定、支持する固定部材とからなるユニットを、前記浴槽容器の底壁に透設した複数個のノズルに装着して成ることを特徴とするものが提案されている（例えば、特許文献２参照。）。
【０００４】
この特許文献２には、「浴槽容器１１に湯水を貯留し、浴室内に配置されているスイッチ６０をオンすると、制御装置５０を介して光源装置３０のハロゲンランプ３３が発光すると共に、モータ３１が駆動してカラーフィルター円板３２が回転し、各色フィルターを通った光が順に（例えば赤、青、緑、黄色の順に）変化しながらファイバーケーブル８０の末端部８０ａの端面に照射される。この光は光ファイバー群２１を介してその先端部２１ａに導かれ、キャップ２３の中空部２３ｃからノズル２３ａ、２３ｂを通って浴槽容器１１内の湯水に照射される。このように湯水に光が照射されると、湯水の色が次々と変化し、各色毎に明るく輝くので、入浴者は恰も幻想的な世界で入浴しているような感覚を覚え、極めてリラックスした気分で入浴することができる。よって、本浴槽１０によれば、精神的リラクゼーション効果を高めることができる。」（段落００２６）と記載されているように、湯水の色の変化による精神的リラクゼーション効果が得られるものである。
【０００５】
また、「スイッチ６０のオンにより、制御装置５０を介してブロワー４０が駆動し、同時にバルブ７０が開放されてエアが送風管２２に送り込まれる。この送風管２２に送り込まれたエアは、図３に点線及び矢印Ｆで示すように、フット２６の空洞部２６ａからボディ２４の胴体部２４Ｂのエア誘導路２４ｄ、ボディ２４の頭部２４Ｈのエアノズル２４ａ、２４ｂを通ってキャップ２３の中空部２３ｃに導かれ、さらにキャップ２３の頭部のノズル２３ａ、２３ｂを通って浴槽容器１１内の湯水に噴射される。このようにエアが浴槽容器１１の底壁１３より噴射されると、液面に向かって気泡が立ち上がり、やがてこの気泡は液面で消滅する。このような気泡の発生、消滅によりマイナスイオンが発生し、このイオンが入浴者に作用して身体の活性化が図られるという効果がある。また、気泡の発生に伴い、浴槽内に液流が生じ、この流勢により身体にはジェットバスとは異なる穏やかな刺激が与えられる。これにより、入浴者は温熱効果と相俟ってマッサージ効果を受けるために血液の循環が良化され、肉体的な疲労が回復される。」（段落００２７）と記載されているように、エアが噴射されることによるマイナスイオンの発生と浴槽内の液流の生成による刺激で肉体的疲労回復効果を図るものである。
【０００６】
【特許文献１】特開２００１−３０９８６５号公報（段落０００３〜００１３、図１〜４）
【特許文献２】特開２００３−１０２７４号公報（段落０００８〜００３５、図１〜６）
【発明の開示】
【発明が解決しようとする課題】
【０００７】
特許文献１に記載の浴槽演出照明装置においては、通常の入浴姿勢状態で入浴者が直視しにくい浴槽の水没箇所に、ＬＥＤによる発光部が設けられているので、入浴者の視界内にＬＥＤの点光源が見えず、眩しさを感じることなく、ＬＥＤ照明による快適な入浴状態が得られると記載されているが、ＬＥＤによって照射された壁や泡や水面の揺らぎが視認されたり、水面の揺らぎが天井面に映し出されるだけであるため、照明としての明るさがなく、浴室内の照明を暗くしないとＬＥＤ光の照射による照明演出効果は得られないという問題点があった。
また、発光部を浴槽の背もたれ側壁面に設け、特に背もたれ側に気泡噴流がある場合に、回り込む水流が効果的に照明されて、良好に演出効果を高めることができることが記載されているが、背もたれ側に設けられる気泡噴流は、多量の空気を含むジェット水流であり、ＬＥＤが照射されてもＬＥＤ光が気泡噴流に当たって散乱して、勢いのある気泡噴流が明るく照らし出されるので、ゆったりとした精神的なリラクゼーション効果は得られない。
【０００８】
また、特許文献２に記載の照明付き噴流ノズル型浴槽の実施の形態によれば、キャップ２３に設けられているノズル２３ａ、２３ｂは数ｍｍ程度の直径をもっており、しかもノズルの数が１個のキャップ当たり１０個あり、このキャップが浴槽の底壁に８個設けられている。
このような大きなノズル孔から噴出する気泡は気泡径が大きく、しかも浴槽内一面にこの気泡が噴出するので浴槽内の湯水は気泡が充満した状態となり、この気泡が水面で次々に破泡するので、水面は波立つこととなる。
従って、この状態の湯水内に光を照射しても、湯水が光の色に変化するだけである。特許文献２においては、光の色が変化するようにカラーフィルター円板を回転して、湯水の色が変化して明るく輝くようにしている。
しかしながら、光の色を変化させるには、カラーフィルター円板を回転させたり、光ファイバーを通して照射しなければならず、装置的に大がかりとなりコストアップとなる。また、水面が波立つため湯水内が見難く、照射される光の揺らいだ状態が浴室の壁面や天井面に映し出されることもなくなる。また、光ファイバーで光を導くため、光の減衰が大きく、それだけ強い光源を必要とする等々の問題点が存在する。
【０００９】
本発明の課題は、照射された光が水中を立ち昇る気泡に照射されて揺らいだ状態に輝くのを眺めることができると共に、照射された光が気泡を透過し、この透過光が壁面や天井面に揺らいで映し出されるのを眺めることにより、精神的なリラクゼーション効果が高く、ＬＥＤの照射による明るさも比較的大きな浴室空間を提供することである。
【課題を解決するための手段】
【００１０】
請求項１記載の本発明の演出照明付き気泡浴槽は、浴槽底面に環状の気泡噴出ノズルが上方を向けて装着され、このノズルの中央部には、透明容器入りの発光ダイオード（ＬＥＤ）が上方に向けて発光するよう組み込まれていることを特徴とする。
【００１１】
また、請求項２記載の本発明の演出照明付き気泡浴槽は、請求項１記載の演出照明付き気泡浴槽において、前記発光ダイオード（ＬＥＤ）がノズル１個当たり３０カンデラ以上の輝度であるものである。
【００１２】
また、請求項３記載の本発明の演出照明付き気泡浴槽は、請求項１または請求項２記載の演出照明付き気泡浴槽において、前記気泡噴出ノズルの噴出口に孔径が１５〜１００μｍである多孔質板が装着されているものである。
【００１３】
また、請求項４記載の本発明の演出照明付き気泡浴槽は、請求項１〜３のいずれかに記載の演出照明付き気泡浴槽において、通常の入浴姿勢において、気泡が鉛直上方に向けて浮上する位置の浴槽底面に、複数個の発光ダイオード（ＬＥＤ）が組み込まれた環状の気泡噴出ノズルが装着されているものである。
【００１４】
また、請求項５記載の本発明の演出照明付き気泡浴槽の制御方法は、請求項１〜４記載の演出照明付き気泡浴槽の制御方法であって、発光ダイオード（ＬＥＤ）が組み込まれた環状の気泡噴出ノズルの電源を入れてから１〜数秒間は気泡噴出量が大に設定されると共に、浴室照明の白熱灯の照度が徐々に減光された後、発光ダイオード（ＬＥＤ）に通電発光されるように制御されることを特徴とする。
【００１５】
また、請求項６記載の本発明の演出照明付き気泡浴槽の制御方法は、請求項５記載の演出照明付き気泡浴槽の制御方法において、発光ダイオード（ＬＥＤ）の通電発光後、気泡噴出ノズルの気泡噴出量を減少させ、小気泡が揺らいで上昇する状態に制御されるものである。
【発明の効果】
【００１６】
請求項１記載の本発明の演出照明付き気泡浴槽は、浴槽底面に環状の気泡噴出ノズルが上方を向けて装着されているので、ノズルから出る気泡は浴槽上方へ向けて環状に立ち昇る。ノズルの中央部には、透明容器入りの発光ダイオード（ＬＥＤ）が上方に向けて発光するよう組み込まれているので、ノズルから環状に立ち昇る気泡の中央部に上方に向けてＬＥＤが照射されることになり、ＬＥＤ光は立ち昇る気泡に遮られて眩しさが減少する。また、ＬＥＤ光が環状に立ち昇る気泡の下面を照らしだし、揺らぎながら立ち昇る照らし出された気泡を眺めることができ、気泡で屈折反射した光は水の色を変えて幻想的な雰囲気となる。また、気泡を透過した透過光は、気泡の立ち昇る揺らぎと気泡が水面で破泡することによる水面の揺らぎとにより、壁面や天井面に揺らいで映し出される。
従って、入浴者は、眩しさを感じることなく、照らし出された気泡が揺らいで立ち昇る様子や水の着色および透過光が壁面や天井面に揺らいで映し出される様子を眺めることができ、入浴による身体的なリラクゼーション効果に加味して精神的なリラクゼーション効果が得られ、心身共に癒すことができる。
【００１７】
また、請求項２記載の本発明の演出照明付き気泡浴槽は、発光ダイオード（ＬＥＤ）がノズル１個当たり３０カンデラ以上の輝度の高輝度であるため、シャープな光の揺らぎが出現することになり、一層照明効果が向上する。
【００１８】
また、請求項３記載の本発明の演出照明付き気泡浴槽は、気泡噴出ノズルの噴出口に孔径が１５〜１００μｍである多孔質板が装着されているので、小径の多数の気泡が立ち昇ることになり、眩しさがより減少すると共に、破泡による水面の波立ちが小さく、水中の気泡の揺らぎや壁面や天井面への光の揺らぎの映り込みがより鮮明となる。
【００１９】
また、請求項４記載の本発明の演出照明付き気泡浴槽は、通常の入浴姿勢において、気泡が鉛直上方に向けて浮上する位置の浴槽底面に、複数個の発光ダイオード（ＬＥＤ）が組み込まれた環状の気泡噴出ノズルが装着されているので、気泡の揺らぎと壁面や天井面への映し込みが強調され、一層照明による精神的なリラクゼーション効果が顕著になる。
【００２０】
また、請求項５記載の本発明の演出照明付き気泡浴槽の制御方法は、発光ダイオードが組み込まれた環状の気泡噴出ノズルの電源を入れてから１〜数秒間は気泡噴出量が大に設定されると共に、浴室照明の白熱灯の照度が徐々に減光された後、発光ダイオード（ＬＥＤ）に通電発光されるように制御されるので、気泡噴出ノズルの小孔へ浸入した浴槽水を排除して均等な気泡噴出を実現できると共に、浴室の明るさを最適な明るさに保ちながら、ＬＥＤによる眩しさをなくした状態でＬＥＤによる照明を開始することができる。
【００２１】
また、請求項６記載の本発明の演出照明付き気泡浴槽の制御方法は、発光ダイオード（ＬＥＤ）の通電発光後、気泡噴出ノズルの気泡噴出量を減少させ、小気泡が揺らいで上昇する状態に制御されるので、ＬＥＤによる眩しさを解消しながら、最適な光の揺らぎを実現でき、精神的なリラクゼーション効果が得られるものである。
【発明を実施するための最良の形態】
【００２２】
図１は本発明の演出照明付き気泡浴槽に使用する発光ダイオード（ＬＥＤ）組み込み気泡噴出ノズルの一例を、浴槽底面に取付けた状態で示す縦断面図、図２は図１の平面図である。
【００２３】
図１、２で、１は気泡噴出ノズル、２は透明容器２１に収納された発光ダイオード（ＬＥＤ）であり、環状筒状の気泡噴出ノズル１の中央部に透明容器２１が水密状態で組み込まれて、ＬＥＤ２が組み込まれた環状の気泡噴出ノズル１が構成されている。            気泡噴出ノズル１は、環状の内筒体１１と外筒体１２により環状の空気通路１３が形成され、空気通路１３の上部に環状の多孔質板１４がカバー１５により取外し自在に取り付けられ、外筒体１２の下端部には圧縮空気供給用チューブ３を接続するためのチューブ継手３１が設けられている。
【００２４】
気泡噴出ノズル１はチューブ継手３１の設けられている側の外筒体１２の高さが長く、反対側の高さが短くなる傾斜が設けられている。このように外筒体１２に傾斜を設けることで、後述のナット１７を気泡噴出ノズル１に被せて外筒体１２の雄ねじ１２ａに螺合することが可能となり、浴槽底面４の厚さの変化にも対応でき、気泡噴出ノズル１の全体の高さを抑えることができる。
また、圧縮空気供給用チューブ３からの圧縮空気の供給が停止すると、空気通路１３には浴槽水が浸入することがあるが、外筒体１２を傾斜して空気通路１３を傾斜することで、圧縮空気の供給時には、浸入水を残すことなく排出できる。
【００２５】
また、気泡噴出ノズル１の外筒体１２上端外周には鍔１６が設けられ、外筒体１２の外周には雄ねじ１２ａが形成され、この雄ねじ１２ａには取付けナット１７が螺合されている。気泡噴出ノズル１は浴槽の内方側から、浴槽底面４に設けられた孔４１に挿入され、鍔１６を浴槽底面４にＵパッキング４２を介して当てがわれ、下方側から取付けナット１７が雄ねじ１２ａに螺合され、Ｕパッキング４２にスリップパッキング４３を介してねじ込むことにより取付けられる。
【００２６】
気泡噴出ノズル１に対する透明容器２１の組み込みは、水漏れの無いようにＯリング２２と環状平パッキング２３で二重にシールされて螺合結合されている。
Ｏリング２２は気泡噴出ノズル１の内筒体１１内面と透明容器２１の外面上部との間をシールするように設けられている。図示の例では、Ｏリング溝は透明容器２１側に設けられているが、内筒体１１側に設けられていてもよい。また、環状平パッキング２３は、気泡噴出ノズル１の内筒体１１の下端面と透明容器２１の拡径部２４上面との間に設けられている。
そして、気泡噴出ノズル１の内筒体１１内面には雌ねじ１１ａが刻設され、透明容器２１の外周面には雄ねじ２１ａが刻設されていて、透明容器２１を浴槽の下方側から気泡噴出ノズル１内に挿入し、螺合結合される。
【００２７】
また、透明容器２１へのＬＥＤ２の収納は、透明容器２１にＬＥＤ２を収納する拡径部２４が形成され、この拡径部２４に収納されるようになっている。図示の例では、拡径部２４の内周面に雌ねじ２４ａが刻設され、雌ねじ２４ａには透明容器２１の蓋２５が、蓋２５の外周面に刻設された雄ねじ２５ａの螺合によりパッキング２５ｂを介して装着されるようになっており、ＬＥＤ２はこの蓋２５の内面に固定され、拡径部２４に蓋２５を螺合することにより蓋２５が装着されると共に、ＬＥＤ２も透明容器２１の内部に固定して収納される。
蓋２５の内部にはＬＥＤ取付けブラケット２６が設けられており、このブラケット２６にＬＥＤ２がタッピングねじで取付け固定されている。また、蓋２５にはＬＥＤ２への通電用の配線を水密状態で挿通するための配線ブッシュ２７が設けられている。
【００２８】
本発明で使用されるＬＥＤ２は、高輝度のものが使用され、１個の輝度が３０カンデラ以上のものが好ましい。色調は赤、青、緑等種々のものが使用できる。透明容器２１の内面に透明カラー膜を張ってカラー光とすることもできる。
透明容器２１に収納されるＬＥＤ２は、１灯で３０カンデラ以上の輝度を有するものであっても、輝度の低いＬＥＤを多灯組み合わせて３０カンデラ以上の輝度としたものであってもよい。
【００２９】
また、気泡噴出ノズル１には、チューブ継手３１に接続された圧縮空気供給用チューブ３から圧縮空気が供給され、空気通路１３を通って上端の多孔質板１４から浴槽水中に気泡となって噴出される。
多孔質板１４としては、樹脂ビーズの焼結体や多孔質セラミックで、１５〜１００μｍの孔径を有し、空気圧の調整により４〜５リットル／分程度の空気量を全面略均一に噴出できるものが好ましく使用される。空気量が多くなると、気泡がＬＥＤ光を散乱させてしまって、ＬＥＤ光の浴室天井や壁面への映り込みや気泡が揺らいで立ち上る様子を見ることができなくなる。
【００３０】
また、多孔質板１４はカバー１５により押しつけて取り付けられている。気泡噴出ノズル１の外筒体１２の内側面に雌ねじ１２ｂが刻設され、この雌ねじ１２ｂにカバー１５の外周面に刻設された雄ねじ１５ａが螺合されて取り付けられている。カバー１５を取り外すことで多孔質板１４を取り出すことができ、多孔質板１４の清掃や交換ができる。
【００３１】
また、多孔質板１４は均一な厚さであってもよいが、厚さが均一であると、多孔質板１４を通ってカバー１５に衝突する気泡同志が結合して直径の大きな気泡が生じ易くなる。そこで、多孔質板１４の幅の中間部の空気通路１３側に環状の凹部１４ａを設けてこの部分を通過する空気圧を小さくすると、浴槽水内へ噴出する多孔質板１４の全面から均一な気泡を発生させることができる。１４ｂはパッキングである。
【００３２】
そして、このようなＬＥＤ組み込み気泡噴出ノズル１は、浴槽底面に上方に向けて気泡を噴出するよう装着される。ノズル１の装着位置としては、入浴者の通常の入浴姿勢において、気泡が鉛直上方に向けて浮上する位置、即ち、入浴者が通常の入浴姿勢で入浴していても、ノズル１から噴出する気泡が入浴者の身体に邪魔されることなく立ち上る位置に装着されるのが好ましい。また、ノズル１は複数個、例えば、浴槽の足を置く側の両側や両足の間等に３〜６個装着されるのが好ましい。
【００３３】
このような演出照明付き気泡浴槽では、浴室外の洗面室等に照明スイッチが設けられ、浴室照明灯（蛍光灯と白熱灯）、気泡浴槽のＬＥＤ、気泡発生用のエアーポンプ等の制御ボックスを経てそれぞれの機器に配線され、浴室壁面に取付けられたリモコンを操作して、室内で照明灯のオン、オフや調整、ＬＥＤのオン、オフや調整、エアーポンプのオン、オフや圧力調整（気泡量の調整）等ができるように制御されている。制御ボックスは浴室ユニットの天井裏等の空きスペースにセットされ、浴室内の照明灯やリモコン操作盤に配線されると共に、浴室床下を通して気泡噴出ノズル１のＬＥＤ２に配線され、また、エアーポンプから圧縮空気がチューブ３により気泡噴出ノズル１に配管されている。
【００３４】
次に、上記のように配設された演出照明付き気泡浴槽の制御方法について説明する。    図３は、本発明の演出照明付き気泡浴槽の動作を開始するため、リモコンの浴室照明スイッチオンの状態から気泡浴槽スイッチをオンした後の各機器の動作状態を示すタイムチャートである。
気泡浴槽スイッチをオンした後、室内照明の蛍光灯は直ちにオフとなり、白熱灯はオンした後２秒間で明るさが３０％となるよう調光される。また、気泡噴出ノズル１からは、気泡浴槽スイッチオンと同時に気泡が大空気量のレベル（噴出空気量３５リットル／分）で噴出し、気泡噴出ノズル１の空気通路１３に浸入している浴槽水を気泡といっしょに多孔質板１４を通して噴出排除する。この大空気量噴出を５秒間行ってから適正空気量のレベル（噴出空気量１３リットル／分）に減少させる。この大空気量噴出により適正空気量レベルに減少した時、各気泡噴出ノズル１の多孔質板１４からは均一な微細な気泡が立ち上るものとなる。
【００３５】
気泡噴出ノズル１のＬＥＤ２は、気泡浴槽スイッチをオンした後、２秒後にオンとなる。ＬＥＤ２が蛍光灯が消え、白熱灯が３０％に調光されてから点灯することで、点灯時の変化を強く感じることができ、高い演出性が得られる。またその３秒後に適正気泡量に調整されるので、気泡にＬＥＤ光が照射して気泡が着色されて揺らぎながら立ち上り、視覚的にリラックスできることになる。
【００３６】
尚、図３のタイムチャートでは、気泡浴槽スイッチをオンした後、１５分経過すると、浴室照明モードに自動的に切り換えられる。
この自動切り換え時または気泡浴槽モード中に、リモコンの浴室照明スイッチをオンした時のタイムチャートを図４に示す。
切り換えと同時に白熱灯は明るさが２秒間で１００％となるよう調光され、２秒後に蛍光灯が点灯する。また、気泡噴出ノズル１からの気泡の噴出が止まり、ＬＥＤ２もオフとなる。このように、白熱灯の照度を上げてから、ＬＥＤ２をオフにすることで浴室内の照明が維持され、入浴者に不安を与えることがなくなる。また、ＬＥＤ２の眩しさを防ぐため気泡噴出ノズル１からの気泡の噴出はＬＥＤ２のオフの後に止めるのが好ましい。
また、リモコン操作盤には、気泡浴槽モード運転中か浴室照明モード運転中かを示すＬＥＤ（表示灯）が配置されると共に、気泡浴槽運転または浴室照明運転を行うための押ボタンスイッチが配置されている。
【００３７】
尚、浴槽底面４には、多孔質板１４を有する気泡噴出ノズル１が装着されているので、浴槽を洗浄するときに、洗剤がノズル内に流れ込むのを防ぐと共に、洗浄終了時に残水がノズル内に残らないようにするため、浴槽の洗浄時には気泡噴出ノズル１から大空気量レベル（噴出空気量３５リットル／分）の空気を噴出するようにされている。
このため、リモコンには、掃除用のスイッチとＬＥＤが設けられており、スイッチを押すと、大空気量の空気を気泡噴出ノズルから吹き出し、スイッチを押すと同時にＬＥＤが点滅し、掃除終了する１５分後に自動的に停止するように設定されている。
【００３８】
上記実施の形態においては、気泡噴出ノズル１に透明容器２１入りのＬＥＤ２を組み込む構造を説明したが、気泡噴出ノズル１と透明容器２１とが一体となった気泡噴出ノズル本体にＬＥＤを組み込む構造としてもよい。
また、透明容器２１の上面（浴槽の床面に露出される面）の強度を増すために、強化ガラスや透明な樹脂板で構成してもよい。
【図面の簡単な説明】
【００３９】
【図１】本発明の演出照明付き気泡浴槽に使用する発光ダイオード（ＬＥＤ）組み込み気泡噴出ノズルの一例を、浴槽底面に取付けた状態で示す縦断面図である。
【図２】図１の平面図である。
【図３】本発明の演出照明付き気泡浴槽の動作を開始するため、リモコンの浴室照明スイッチオンの状態から気泡浴槽スイッチをオンした後の各機器の動作状態を示すタイムチャートである。
【図４】図３の気泡浴槽スイッチをオンの状態から、浴室照明スイッチオンの状態に変更した時の各機器の動作状態を示すタイムチャートである。
【符号の説明】
【００４０】
１          気泡噴出ノズル
１１        内筒体
１２        外筒体
１３        空気通路
１４        多孔質板
１４ａ      環状の凹部
１５        カバー
１６        鍔
１７        取付けナット
２          ＬＥＤ
２１        透明容器
２４        拡径部
２５        蓋
３          圧縮空気供給用チューブ
４          浴槽底面
４１        孔
【図１】
2005080913.tif 000003
【図２】
2005080913.tif 000004
【図３】
2005080913.tif 000005
【図４】
2005080913.tif 000006